【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
制御システムを有する伸縮装置（１０）であって、該伸縮装置（１０）は：
・トロリ構造体（４２）；
・第１端部、第２端部、及び本体部分を有するレール装置；
・該トロリ構造体（４２）を該レール装置に関して保持し、該レール装置の本体部分に沿って軸方向に伸縮させる手段であって、該トロリ構造体（４２）は、該トロリ構造体（４２）を該レール装置の第２端部に隣接させて配置する収縮構成と、該トロリ構造体（４２）を該レール装置の第１端部に隣接させて配置する伸長構成を有する、手段；及び
・作動装置と、該レール装置に関する該トロリ構造体（４２）の移動を該作動装置の作動に応じて選択的に制御する手段、を有する制御システムであって、該レール装置に関する該トロリ構造体（４２）の移動を選択的に制御する手段は、該作動装置の作動に応じて該トロリ構造体（４２）を機械的に係脱する、手段を備える制御システム、を備えること、を特徴とする伸縮装置（１０）。
【請求項２】
該トロリ構造体（４２）を機械的に係脱する手段は、第１係止用突出体、および該第１係止用突出体を、該トロリ構造体（４２）との係合状態及び非係合状態にするように、該作動装置の作動に基づき調節する手段を備えること、を特徴とする請求項１に記載の伸縮装置（１０）。
【請求項３】
該トロリ構造体（４２）を機械的に係脱する手段は、第２係止用突出体、及び該第２係止用突出体を該トロリ構造体（４２）との係合状態及び非係合状態にするよう、該作動装置の作動に基づき調節する手段を更に備え、
該トロリ構造体（４２）を伸長構成とする場合、該第１係止突出体を該トロリ構造体（４２）に係合させるよう配置し、該トロリ構造体（４２）を収縮構成とする場合、該第２係止突出体を該トロリ構造体（４２）に係合させるよう配置すること、を特徴とする請求項２に記載の伸縮装置（１０）。
【請求項４】
前記トロリ構造体（４２）を機械的に係脱する手段には、作動ロッドと、該作動ロッドに対して枢動可能に保持する第１ピボット部材を更に備え、前記第１係止突出体を保持して該ピボット部材と共に運動させ、それにより前記作動ロッドの作動によって第１ピボット部材の第１係止突出体を枢動させてトロリ構造体（４２）と係合状態及び非係合状態にすること、を特徴とする請求項２に記載の伸縮装置（１０）。
【請求項５】
前記作動装置は、引金を備え該引金の作動に応じて作動ロッドの作動を誘発する手段を更に備えること、を特徴とする請求項４に記載の伸縮装置（１０）。
【請求項６】
前記引金を枢動可能に保持し、前記作動ロッドの作動を誘発する手段は、前記引金の枢動に応じて前記作動ロッドの軸運動を誘導する手段を備えること、を特徴とする請求項５に記載の伸縮装置（１０）。
【請求項７】
前記トロリ構造体（４２）を機械的に係脱する手段は、第２係止突出体を有する第２ピボット部材を更に備え、該第２ピボット部材を枢動可能に前記作動ロッドに対して保持し、前記第２係止突出体を、トロリ構造体（４２）を収縮構成とする場合に、トロリ構造体（４２）に係合するよう配置し、前記作動ロッドの作動により、前記第２ピボット部材の第２係止突出体を枢動させて、トロリ構造体（４２）と係合状態及び非係合状態にすること、を特徴とする請求項６に記載の伸縮装置（１０）。
【請求項８】
前記第１及び第２ピボット部材は、Ｌ字型部材を備えること、を特徴とする請求項８に記載の伸縮装置（１０）。
【請求項９】
前記第１及び第２ピボット部材は、円板型部材を備えること、を特徴とする請求項７に記載の伸縮装置（１０）。
【請求項１０】
前記作動ロッドの軸運動を引金の枢動に応じて誘導する手段は、旋回ロッドと協働する横軸を備え、該引金の作動により該横軸の回転を発生させ、該旋回ロッドを、第１端部を枢動可能に前記横軸と連結させ、第２端部を枢動可能に前記作動ロッドに連結させ、枢動可能に保持すること、を特徴とする請求項６に記載の伸縮装置（１０）。
【請求項１１】
制御システムを有する伸縮装置（１０）であって、該伸縮装置（１０）は：
・トロリ構造体（４２）；
・第１端部、第２端部、及び本体部分を有するレール装置；
・該トロリ構造体（４２）を該レール装置に関して保持し、該レール装置の本体部分に沿って軸方向に伸縮させる手段であって、該トロリ構造体（４２）は、該トロリ構造体（４２）を該レール装置の第２端部に隣接させて配置する収縮構成と、該トロリ構造体（４２）を該レール装置の第１端部に隣接させて配置する伸長構成を有する手段；及び
・作動装置と、該トロリ構造体（４２）の該レール装置に関する移動を該作動装置の作動に応じて選択的に制御する手段、を有する制御システム；及び
・開放位置及び閉鎖位置を有し、該レール装置の第１端部に隣接して枢動可能に保持する第１扉
を備えること、を特徴とする伸縮装置（１０）。
【請求項１２】
前記制御システムは、前記第１扉を閉鎖位置に選択的に保持し、前記第１扉を前記作動装置の作動に応じて閉鎖位置から選択的に解除する手段を更に備えること、を特徴とする請求項１１に記載の伸縮装置（１０）。
【請求項１３】
前記装置は、前記第１扉を開放位置に付勢する手段を更に備えること、を特徴とする請求項１２に記載の伸縮装置（１０）。
【請求項１４】
前記第１扉を閉鎖位置に選択的に保持し、該第１扉を閉鎖位置から選択的に解放する手段は、前記第１扉に係合する係止部分を有するピボット部材と協働する扉作動ロッドを備え、該ピボット部材を該扉作動ロッドに枢動可能に連結させ、それにより前記扉作動ロッドの作動により前記ピボット部材の枢動及び前記第１扉との前記係止部分の選択的係合を誘導すること、を特徴とする請求項１２に記載の伸縮装置（１０）。
【請求項１５】
前記装置は、開放位置及び閉鎖位置を有する第２扉を更に備え、該第２扉を前記レール装置の第１端部に隣接して枢動可能に保持し、前記制御システムは、前記第２扉を閉鎖位置に選択的に保持し、前記作動装置の作動に応じて前記第２扉を閉鎖位置から選択的に解除する手段を更に備えること、を特徴とする請求項１４に記載の伸縮装置（１０）。
【請求項１６】
前記レール装置に関するトロリ構造体（４２）の移動を選択的に制御する手段は、前記作動装置の作動に応じてトロリ構造体（４２）に機械的に係脱する手段を備え、前記トロリ構造体（４２）に機械的に係脱する手段は、第１係止用突出体、及び該第１係止用突出体をトロリ構造体（４２）と係合状態及び非係合状態にするよう、前記作動装置の作動に基づき調節する手段を備えること、を特徴とする請求項１４に記載の伸縮装置（１０）。
【請求項１７】
制御システムを有する伸縮装置（１０）であって、該伸縮装置（１０）は：
・トロリ構造体（４２）；
・第１端部、第２端部、及び本体部分を有するレール装置；
・該トロリ構造体（４２）を該レール装置に関して保持し、該レール装置の本体部分に沿って軸方向に伸縮させる手段であって、該トロリ構造体（４２）は、該トロリ構造体（４２）を該レール装置の第２端部に隣接させて配置する収縮構成と、該トロリ構造体（４２）を該レール装置の第１端部に隣接させて配置する伸長構成を有する、手段；
・作動装置と、該レール装置に関する該トロリ構造体（４２）の移動を該作動装置の作動に応じて選択的に制御する手段、を有する制御システム；及び
・少なくとも１つの定荷重ばね（７８、８０）を備え、該レール装置に関して移動する際に該トロリ構造体（４２）を補助する手段、
を備えることを特徴とする伸縮装置（１０）。
【請求項１８】
前記少なくとも１つの定荷重ばね（７８、８０）は、前記レール装置の第１端部に隣接して保持する本体部分、及びトロリ構造体（４２）に連結する端部を有すること、を特徴とする請求項１７に記載の伸縮装置（１０）。
【請求項１９】
制御システムを有する伸縮装置（１０）であって、該伸縮装置（１０）は：
・トロリ構造体（４２）；
・第１端部、第２端部、及び本体部分を有するレール装置；
・該トロリ構造体（４２）を該レール装置に関して保持し、該レール装置の本体部分に沿って軸方向に伸縮させる手段であって、該トロリ構造体（４２）は、該トロリ構造体（４２）を該レール装置の第２端部に隣接させて配置する収縮構成と、該トロリ構造体（４２）を該レール装置の第１端部に隣接させて配置する伸長構成を有する、手段；
・作動装置と、該レール装置に関する該トロリ構造体（４２）の移動を該作動装置の作動に応じて選択的に制御する手段、を有する制御システム；及び
該制御システムによる不正な制御を選択的に防止する手段、を備えること、を特徴とする伸縮装置（１０）。
【請求項２０】
前記制御システムによる不正な制御を選択的に防止する手段は、ロック（９４）とキー（９２）の組合せを備えること、を特徴とする請求項１９に記載の伸縮装置（１０）。
【請求項２１】
前記制御システムによる不正な制御を選択的に防止する手段には、カードリーダ（１７２）とカードリーダ（１７０）の組合せを備えること、を特徴とする請求項１９に記載の伸縮装置（１０）。
【請求項２２】
前記装置は、リモコン（１７４）とリモコンレシーバ（１７６）の組合せを更に備えること、を特徴とする請求項１９に記載の伸縮装置（１０）。
【請求項２３】
制御システムを有する伸縮装置（１０）であって、該伸縮装置（１０）は：
・トロリ構造体（４２）；
・第１端部、第２端部、及び本体部分を有するレール装置；
・該トロリ構造体（４２）を該レール装置に関して保持し、該レール装置の本体部分に沿って軸方向に伸縮させる手段であって、該トロリ構造体（４２）は、該トロリ構造体（４２）を該レール装置の第２端部に隣接させて配置する収縮構成と、該トロリ構造体（４２）を該レール装置の第１端部に隣接させて配置する伸長構成を有する、手段；
・作動装置と、該レール装置に関する該トロリ構造体（４２）の移動を該作動装置の作動に応じて選択的に制御する手段、を有する制御システム；及び
・制動作用を提供する手段により提供される制動作用を調節する手段と協働して、該レール装置に関して該トロリ構造体（４２）に制動作用を提供する手段
を備えること、を特徴とする伸縮装置（１０）。
【請求項２４】
前記制動作用を提供する手段は、可撓性の円弧状制動部材（１４８）を備え、該制動部材を保持して、トロリ構造体（４２）と前記レール装置の端部に隣接して配置したフレーム構造体との間の摩擦係合を発生させること、を特徴とする請求項２３に記載の伸縮装置（１０）。
【請求項２５】
前記制動作用を提供する手段は、トロリ構造体（４２）と前記レール装置の端部に隣接して配置したフレーム構造体との間に挿入する圧縮ばね（１５２）を備えること、を特徴とする請求項２３に記載の伸縮装置（１０）。
【請求項２６】
制御システムを有する伸縮装置（１０）であって、該伸縮装置（１０）は：
・トロリ構造体（４２）；
・第１端部、第２端部、及び本体部分を有するレール装置；
・該トロリ構造体（４２）を該レール装置に関して保持し、該レール装置の本体部分に沿って軸方向に伸縮させる手段であって、該トロリ構造体（４２）は、該トロリ構造体（４２）を該レール装置の第２端部に隣接させて配置する収縮構成と、該トロリ構造体（４２）を該レール装置の第１端部に隣接させて配置する伸長構成を有する手段；及び
・作動装置と、該レール装置に関する該トロリ構造体（４２）の移動を該作動装置の作動に応じて選択的に誘導するする動力付装置を有する制御システムであって、該動力付装置はラック（１２２）及びピニオン（１２０）ギア装置と協働する駆動モータを備え、該ギア装置を該トロリ構造体（４２）及び該レール装置と動作可能に関連させ、該レール装置に関する該トロリ構造体（４２）の推進を可能にする、制御システム、を備えること、を特徴とする伸縮装置（１０）。
【請求項２７】
前記駆動モータをトロリ構造体（４２）に対して保持し、ラックギアを前記レール装置に関して保持すること、を特徴とする請求項２６に記載の伸縮装置（１０）。
【請求項２８】
制御システムを有する伸縮装置（１０）であって、該伸縮装置（１０）は：
・トロリ構造体（４２）；
・第１端部、第２端部、及び本体部分を有するレール装置；
・該トロリ構造体（４２）を該レール装置に関して保持し、該レール装置の本体部分に沿って軸方向に伸縮させる手段であって、該トロリ構造体（４２）は、該トロリ構造体（４２）を該レール装置の第２端部に隣接させて配置する収縮構成と、該トロリ構造体（４２）を該レール装置の第１端部に隣接させて配置する伸長構成を有する手段；
・作動装置と、該レール装置に関する該トロリ構造体（４２）の移動を該作動装置の作動に応じて選択的に誘導する動力付装置を有する制御システム；及び
・開放位置及び閉鎖位置を有し、該レール装置の第１端部に隣接して枢動可能に保持する第１扉（２２）であって、動力付装置を更に備えて、第１扉（２２）の作動を、前記作動装置の作動に応じて開放位置と閉鎖位置との間で選択的に誘導する、第１扉（２２）、を備えること、を特徴とする伸縮装置（１０）。
【請求項２９】
前記第１扉（２２）の作動を選択的に誘導する動力付装置は、第２モータ（１２４）及び扉ギア装置（１２６）を備えること、を特徴とする請求項２８に記載の伸縮装置（１０）。
【請求項３０】
前記装置は、開放位置及び閉鎖位置を有する第２扉（２４）を更に備え、第２扉（２４）を枢動可能に前記レール装置の第１端部に隣接して保持し、更に動力付装置を備えて、第２扉（２４）の作動を、前記作動装置の作動に応じて開放位置と閉鎖位置との間で選択的に誘導すること、を特徴とする請求項２８に記載の伸縮装置（１０）。
【請求項３１】
前記第１及び第２扉（２２、２４）の作動を選択的に誘導する動力付装置は、扉駆動用ロッド（１３２）、及び扉駆動用ロッド（１３２）で第１扉（２２）を駆動可能にするギア装置、及び扉駆動用ロッド（１３２）で第２扉（２４）を駆動可能にするギア装置を備えること、を特徴とする請求項３０に記載の伸縮装置（１０）。
【請求項３２】
制御システムを有する伸縮装置（１０）であって、該伸縮装置（１０）は：
・トロリ構造体（４２）；
・第１端部、第２端部、及び本体部分を有するレール装置；
・該トロリ構造体（４２）を該レール装置に関して保持し、該レール装置の本体部分に沿って軸方向に伸縮させる手段であって、該トロリ構造体（４２）は、該トロリ構造体（４２）を該レール装置の第２端部に隣接させて配置する収縮構成と、該トロリ構造体（４２）を該レール装置の第１端部に隣接させて配置する伸長構成を有する手段；及び
・作動装置と、該レール装置に関する該トロリ構造体（４２）の移動を該作動装置の作動に応じて選択的に誘導する動力付装置を有する制御システムであって、該作動装置は引き金（８８）を備える、制御システム、を備えること、を特徴とする伸縮装置（１０）。